(57)【要約】【課題】  設置スペースを少なくすることができる上に、従来の洗浄効果を損なうことなく設備費や維持管理費を削減することができる水処理装置を得る。【解決手段】  この発明に係る水処理装置は、膜分離器５を備える膜分離槽２と、膜分離器５で処理した処理水３を貯留する処理水槽４と、一端１１ａを膜分離器５に接続し、他端１１ｂを処理水槽４に配置し、且つ逆送可能な移送手段１２を備える処理水移送管１１とからなる。【選択図】        図１
2005342660.tif 000002
【特許請求の範囲】
【請求項１】
膜分離器を備える膜分離槽と、前記膜分離器で処理した処理水を貯留する処理水槽と、一端を前記膜分離器に接続し、他端を前記処理水槽に配置し、且つ逆送可能な移送手段を備える処理水移送管とからなることを特徴とする水処理装置。
【請求項２】
膜分離器を備える膜分離槽と、前記膜分離器で処理した処理水を貯留する処理水槽と、一端を前記膜分離器に接続し、他端を前記処理水槽に配置し、且つ移送手段を備える処理水移送管と、一端を前記膜分離器側の処理水移送管に三方弁を介して接続し、他端を前記処理水槽に配置する処理水吸引管と、一端を前記処理水槽側の処理水移送管に三方弁を介して接続し、他端を前記膜分離器に接続する処理水圧送管とからなることを特徴とする水処理装置。
【請求項３】
膜分離器を備える膜分離槽と、前記膜分離器で処理した処理水を貯留する処理水槽と、一端を前記膜分離器に接続し、他端を前記処理水槽に配置し、両端側に開閉弁を有し、且つ移送手段を備える処理水移送管と、一端を前記膜分離器側の処理水移送管に接続し、他端を前記処理水槽に配置し、且つ開閉弁を有する処理水吸引管と、一端を前記処理水槽側の処理水移送管に接続し、他端を前記膜分離器に接続し、且つ開閉弁を有する処理水圧送管とからなることを特徴とする水処理装置。
【発明の詳細な説明】
【技術分野】
【０００１】
この発明は、下水、浄水、し尿、産業廃水などの処理において使用する浸漬型膜分離装置の移送手段に関するものである。
【背景技術】
【０００２】
従来、被処理水中の汚濁物質を除去する方法として、膜を利用した水処理方法が知られている。この水処理方法を用いた水処理装置においては、水処理運転の継続に伴って分離膜に汚濁物質が付着し、目詰まりなどのファウリングが起こり、分離膜のろ過性能が低下して安定した処理水量が得られないという問題がある。
【０００３】
このような問題を解決するため、膜の洗浄が定期的に行われている。膜の洗浄方法には物理洗浄と薬品洗浄があるが、物理洗浄が多用されている。物理洗浄には、分離膜にろ過水を逆流させる逆流洗浄（逆洗）、膜の一次側で膜に水流を衝突させるフラッシング、膜を空気によって振動させるエアースクライビングなどがあり、いずれの場合も膜に付着した汚濁物質を物理的な作用によって取り除いている。
【０００４】
例えば、従来のこの種の水処理装置では、原水槽からの被処理水を加圧ポンプにより膜モジュールに供給し、ろ過水をろ過水槽に供給するろ過工程の次に、ろ過水槽のろ過水を逆洗ポンプにより膜モジュールに供給し、バルブから逆洗排水を排出する第１逆洗工程と、バルブから逆洗排水を排出する第２逆洗工程とを、交互に行う（例えば特許文献１参照）。
【０００５】
【特許文献１】特開２００３−２６６０７２号公報（要約）
【発明の開示】
【発明が解決しようとする課題】
【０００６】
このように、従来の水処理装置では被処理水を処理する際に加圧ポンプを用い、逆洗を行う際には逆洗ポンプを用いている。このため、従来の水処理装置では加圧ポンプと逆洗ポンプの２台のポンプが必要となり、設備費や維持管理費が嵩むという問題がある。
【０００７】
この発明は、上述のような問題を解決するためになされたもので、その目的は、設置スペースを少なくすることができる上に、従来の洗浄効果を損なうことなく設備費や維持管理費を削減することができる水処理装置を得るものである。
【課題を解決するための手段】
【０００８】
この発明に係る水処理装置は、膜分離器を備える膜分離槽と、前記膜分離器で処理した処理水を貯留する処理水槽と、一端を前記膜分離器に接続し、他端を前記処理水槽に配置し、且つ逆送可能な移送手段を備える処理水移送管とからなるものである。
【０００９】
また、この発明に係る水処理装置は、膜分離器を備える膜分離槽と、前記膜分離器で処理した処理水を貯留する処理水槽と、一端を前記膜分離器に接続し、他端を前記処理水槽に配置し、且つ移送手段を備える処理水移送管と、一端を前記膜分離器側の処理水移送管に三方弁を介して接続し、他端を前記処理水槽に配置する処理水吸引管と、一端を前記処理水槽側の処理水移送管に三方弁を介して接続し、他端を前記膜分離器に接続する処理水圧送管とからなるものである。
【００１０】
さらに、この発明に係る水処理装置は、膜分離器を備える膜分離槽と、前記膜分離器で処理した処理水を貯留する処理水槽と、一端を前記膜分離器に接続し、他端を前記処理水槽に配置し、両端側に開閉弁を有し、且つ移送手段を備える処理水移送管と、一端を前記膜分離器側の処理水移送管に接続し、他端を前記処理水槽に配置し、且つ開閉弁を有する処理水吸引管と、一端を前記処理水槽側の処理水移送管に接続し、他端を前記膜分離器に接続し、且つ開閉弁を有する処理水圧送管とからなるものである。
【発明の効果】
【００１１】
水処理装置では、膜分離器を用いて被処理水から懸濁物質を除去するが、水処理運転の継続に従って膜分離器に懸濁物質が付着し、この懸濁物質によって膜分離器に目詰まりなどのファウリングが起こり、膜分離器のろ過機能が低下する。そこで、膜分離器でろ過処理した処理水を逆流させる逆流洗浄（逆洗）や、空気によって分離膜を振動させるエアースクライビングなどで膜分離器から懸濁物質を除去し、それでも除去できない場合には薬品洗浄を行う。この際に、従来の水処理装置は処理水ポンプと逆洗ポンプの２個のポンプを使用する。しかし、この発明は、従来の処理水ポンプと逆洗ポンプの機能を１つの移送手段に持たせたので、従来の洗浄効果を損なうことなく構造を簡素化することができる。したがって、設置スペースを少なくすることができ、設備費や維持管理費を削減することができる。
【発明を実施するための最良の形態】
【００１２】
実施の形態１．
図１は、この発明の実施の形態１における水処理装置を示す構成図である。図１に示すように、この水処理装置は下水、浄水、し尿、産業廃水などの被処理水１を貯留した膜分離槽２と、この膜分離槽２で処理した処理水３を貯留する処理水槽４を備えている。膜分離槽２内には、被処理水１をろ過処理する膜分離器５を被処理水１に浸漬配置してある。そして、膜分離器５の表面に付着した懸濁物質を取り除くための散気設備として、散気管６を膜分離槽２内において膜分離器５の下方に配置し、この散気管６を膜分離槽２の外部に位置する空気ブロワ７に空気管８を介して接続してある。なお、膜分離器５は分離膜と分離膜を支える部分や集水部を含めたもの示す。
【００１３】
膜分離器５によって処理した処理水は、処理水移送管１１を介して処理水槽４に移送するようにしてある。処理水移送管１１の一端１１ａは膜分離器５に接続し、処理水移送管１１の他端１１ｂは処理水槽４内の処理水３中に浸漬してある。この処理水移送管１１には、移送手段１２と流量計１３を膜分離器５側から順次に配設してある。ここに、処理水移送管１１において、膜分離器５と移送手段１２の間を第１の部分１１ｃ、移送手段１２と流量計１３の間を第２の部分１１ｄ、流量計１３と他端１１ｂの間を第３の（処理水側）部分１１ｅとしてある。なお、分離膜には中空糸膜を使用したが、精密ろ過膜、限外ろ過膜、逆浸透膜などであって、平膜型（プリーツタイプ、プレート＆フレームタイプ）など使用することもできる。
【００１４】
移送手段１２には、処理水３を矢印Ａまたは矢印Ｂの方向に選択的に移送し得る正逆運転可能なモノーポンプやルーツポンプを使用することができる。また、移送手段１２には、モノーポンプやルーツポンプと同様な機能を有するその他の形式のポンプも使用することができる。なお、ルーツポンプを用いる場合には、処理水槽４を真空可能な槽とし、処理水槽４からの処理水３を逆洗のための逆洗水として用いることができるように構成することができる。
【００１５】
また、移送手段１２には、ポンプ以外の手段も適用することができる。例えば、移送手段１２を減圧手段（小型なバキューム）によって減圧することにより、処理水３を膜分離器５から処理水槽４に移送することができる。そして、移送手段１２を加圧手段（コンプレッサ）によって加圧することにより、処理水３を処理水槽４から膜分離器５に逆送することができる。これらの加圧手段や減圧手段は、処理水槽４や膜分離槽２などに適用するように構成することも可能である。
【００１６】
このような構成により、この実施の形態１における水処理装置の通常の処理運転では、処理水３は処理水移送管１１を矢印Ａ方向に流れる。すなわち、移送手段１２の作動によって膜分離器５の内部に吸引力が発生し、膜分離槽２内の被処理水１は膜分離器５の分離膜の外表面側から内裏面側に流れ、分離膜によってろ過処理された処理水３となる。この処理水３は、処理水移送管１１の第１の部分１１ｃ、移送手段１２、処理水移送管１１の第２の部分１１ｄ、流量計１３、処理水移送管１１の第３の部分１１ｅを介して処理水槽４に流入する。この間に、空気が空気ブロワ７から空気管８を介して散気管６に流れ、この散気管６から膜分離槽２内の被処理水１の中に噴出し、懸濁物質が膜分離器５に付着することを防止する。また、好気性生物処理の場合には被処理水１の生物処理を促進する。
【００１７】
一方、逆洗運転においては移送手段１２が逆送運転し、処理水３は矢印Ｂ方向に流れる。この際に、処理水槽４内の処理水３は、処理水移送管１１の第３の部分１１ｅ、流量計１３、処理水移送管１１の第２の部分１１ｄ、移送手段１２、処理水移送管１１の第１の部分１１ｃを介して膜分離器５内に流入する。この膜分離器５内に流入した処理水３は、膜分離器５の分離膜の内面側から外面側に噴出し、分離膜の外表面に付着した懸濁物質を分離膜から剥離させる。
【００１８】
従来の水処理装置では移送手段として処理水ポンプと逆洗ポンプの２個のポンプが必要であったが、この発明の水処理装置では１つの移送手段１２に従来の処理水ポンプと逆洗ポンプの機能を持たせてある。このため、この実施の形態１における水処理装置は、従来の洗浄効果を損なうことなく構造を簡素化することができる。したがって、設置スペースを少なくすることができ、設備費や維持管理費を削減することができる。
【００１９】
実施の形態２．
図２は、この発明の実施の形態２における水処理装置を示す構成図である。図２に示すように、この実施の形態２では実施の形態１における処理水移送管１１の他端１１ｂを処理水３の水面下に位置するように処理水槽４の下部に接続し、処理水槽４は天蓋１４で覆い、その他の構成は上述の実施の形態１と同様としてある。なお、水面下に位置するとは、処理水移送管１１の他端１１ｂを処理水槽４の壁面に設けることを意味している。この実施の形態２でも上述の実施の形態１と同様の作用効果が得られる。なお、処理水槽４は天蓋１４で覆ったが、覆う必要のない場合は解放状態で良い。
【００２０】
実施の形態３．
図３は、この発明の実施の形態３における水処理装置を示す構成図である。この実施の形態３の水処理装置は、移送手段として自吸式の渦巻ポンプを用い、管路の切り替えを三方弁によって行う点で実施の形態１の水処理装置と大きく異なっている。
【００２１】
図３に示すように、この実施の形態３では、膜分離器５によって処理した処理水３は、処理水移送管２１を介して処理水槽４に移送するようにしてある。この処理水移送管２１の一端２１ａは膜分離器５に接続し、他端２１ｂは処理水槽４内に配置してある。この他端２１ｂは処理水槽４内の処理水３に浸漬させないように図示してあるが、浸漬させても構わない。このような処理水移送管２１には、膜分離器５側から順次に第１の三方弁２２、移送手段２３、流量計２４、第２の三方弁２５を配設してある。処理水移送管２１において、一端２１ａと第１の三方弁２２の間を第１の部分２１ｃ、第１の三方弁２２と移送手段２３の間を第２の部分２１ｄ、移送手段２３と流量計２４の間を第３の部分２１ｅ、流量計２４と第２の三方弁２５の間を第４の部分２１ｆ、第２の三方弁２５と他端２１ｂの間を第５の（処理水側）部分２１ｇとしてある。
【００２２】
また、この実施の形態３における水処理装置では、逆洗に使用する処理水３は、処理水圧送管２７を介して膜分離器５に圧送するようにしてある。そこで、処理水吸引管２６の一端２６ｂは処理水槽４に、他端２６ａは第１の三方弁２２に接続して、この第１の三方弁２２を介して、処理水移送管２１の第２の部分２１ｄ、移送手段２３、処理水移送管２１の第３の部分２１ｅ、流量計２４、処理水移送管２１の第４の部分２１ｆそして第２の三方弁２５に繋がっている。第２の三方弁２５は膜分離器５と処理水圧送管２７によって接続してある。すなわち、処理水吸引管２６の一端２６ａを第１の三方弁２２に接続し、他端２６ｂを処理水槽４内の処理水３に浸漬させてある。また、処理水圧送管２７の一端２７ａを第２の三方弁２５に接続し、他端２７ｂを膜分離器５に接続してある。移送手段２３には、処理水３を矢印Ｃおよび矢印Ｄで示す一方向に移送する自吸式の渦巻ポンプを使用することができる。しかし、この渦巻ポンプも同様な機能を有するその他の形式のポンプで代用し得ることは云うまでもない。また、自吸式でない場合は、気水分離タンクと真空ポンプとの組み合わせや、ポンプの設置位置などにより、ポンプの吸込側に水封があればよい。
【００２３】
この実施の形態３における水処理装置の通常の処理運転では、処理水３は処理水移送管２１を矢印Ｃおよび矢印Ｄの方向に順次に流れる。すなわち、移送手段２３の作動に伴って、処理水３は処理水移送管２１の第１の部分２１ｃ、第１の三方弁２２、処理水移送管２１の第２の部分２１ｄ、移送手段２３、処理水移送管２１の第３の部分２１ｅ、流量計２４、処理水移送管２１の第４の部分２１ｆ、第２の三方弁２５、処理水移送管２１の第５の部分２１ｇを介して処理水槽４に流入する。
【００２４】
これに対し、逆洗運転では第１の三方弁２２と第２の三方弁２５が切り替わり、処理水３が矢印Ｅ、矢印Ｃおよび矢印Ｆの方向に順次に流れる。すなわち、移送手段２３は処理運転時と同様に処理水３を矢印Ｃ方向に流すが、双方の三方弁２２、２５が切り替わっているので、処理水槽４内の処理水３は、処理水吸引管２６をその他端２６ｂから矢印Ｅの方向に流れて第１の三方弁２２に流入し、更に処理水移送管２１の第２の部分２１ｄ、移送手段２３、処理水移送管２１の第３の部分２１ｅ、流量計２４、処理水移送管２１の第４の部分２１ｆ、第２の三方弁２５と流れ、更に処理水圧送管２６を矢印Ｆの方向に流れて膜分離器５内に流入する。
【００２５】
このように、従来の水処理装置では処理水ポンプと逆洗ポンプの２個のポンプが必要であったが、この実施の形態３における水処理装置では１つの移送手段２３に従来の処理水ポンプのみの機能を持たせ、三方弁２２、２５を配設することによって逆洗ポンプを不要としている。したがって、従来の洗浄効果を損なうことなく構造を簡素化することができると共に、設置スペースを少なくすることができる。また、移送手段２３に用いた自吸式の渦巻ポンプは上述の実施の形態１のモノーポンプよりも安価であるので、設備費や維持管理費を削減することができる。
【００２６】
以下の実施の形態４から実施の形態８は、基本である実施の形態３を変形・発展させた実施の形態であり、共通部分には、同一符号を付して説明する。
実施の形態４．
図４は、この発明の実施の形態４における水処理装置を示す構成図である。図４に示すように、この実施の形態４では実施の形態３における処理水移送管２１の他端２１ｂを処理水３の水面下に位置するように処理水槽４の下部に接続し、処理水吸引管２６の他端２６ｂを処理水移送管２１の第５の部分２１ｇに接続し、処理水槽４に天蓋１４を被せ、その他の構成は上述の実施の形態３と同様としてある。この実施の形態４でも実施の形態３と同様の作用効果が得られる。なお、処理水槽４は天蓋１４で覆ったが、覆う必要のない場合は解放状態で良い。
【００２７】
実施の形態５．
図５は、この発明の実施の形態５における水処理装置を示す構成図である。図５に示すように、この実施の形態５では実施の形態３における処理水圧送管２７の他端２７ｂを処理水移送管２１の第１の部分２１ｃに接続してある。したがって、この実施の形態５では上述の実施の形態３と同様の作用効果が得られる上に、処理水圧送管２７の長さを節約することができる。
【００２８】
実施の形態６．
図６は、この発明の実施の形態６における水処理装置を示す構成図である。図６に示すように、この実施の形態６では実施の形態４における処理水圧送管２７の他端２７ｂを処理水移送管２１の第１の部分２１ｃに接続してある。したがって、この実施の形態６でも上述の実施の形態４と同様の作用効果が得られる上に、処理水圧送管２７の長さを節約することができる。なお、処理水槽４は天蓋１４で覆ったが、覆う必要のない場合は解放状態で良い。
【００２９】
実施の形態７．
図７は、この発明の実施の形態７における水処理装置を示す構成図である。図７に示すように、この実施の形態７では実施の形態５における処理水移送管２１の第１の部分２１ｃを分岐し、その第１の部分２１ｃを分岐管２８によって膜分離器５に接続してある。この際に、処理水移送管２１の第１の部分２１ｃでは、処理時および逆洗時において処理水３が一旦合流した後に分流するようにしてある。この実施の形態７では上述の実施の形態５と同様の作用効果が得られる。
【００３０】
実施の形態８．
図８は、この発明の実施の形態８における水処理装置を示す構成図である。図８に示すように、この実施の形態８では実施の形態６における処理水移送管２１の第１の部分２１ｃを分岐し、その第１の部分２１ｃを分岐管２８によって膜分離器５に接続してある。この際に、処理水移送管２１の第１の部分２１ｃでは、処理時および逆洗時において処理水３が一旦合流した後に分流するようにしてある。この実施の形態８では上述の実施の形態６と同様の作用効果が得られる。なお、処理水槽４は天蓋１４で覆ったが、覆う必要のない場合は解放状態で良い。
【００３１】
実施の形態９．
図９は、この発明の実施の形態９における水処理装置を示す構成図である。この実施の形態９の水処理装置は、実施の形態３の水処理装置と同様に移送手段として自吸式の渦巻ポンプを用いている反面で、管路の切り替えを三方弁ではなく開閉弁（二方向弁）によって行う点で実施の形態３の水処理装置と大きく異なっている。
【００３２】
図９に示すように、この実施の形態９の水処理装置では、膜分離器５によって処理した処理水３を処理水槽４に処理水移送管３１を介して移送するようにしてある。この処理水移送管３１の一端３１ａは膜分離器５に接続し、他端３１ｂは処理水槽４に実施の形態２と同様に配置してある。この処理水移送管３１には、膜分離器５側から順次に第１の開閉弁３２、移送手段３３、流量計３４、第２の開閉弁３５を配設してある。処理水移送管３１において、膜分離器５と第１の開閉弁３２の間を第１の部分３１ｃ、第１の開閉弁３２と移送手段３３の間を第２の部分３１ｄ、移送手段３３と流量計３４の間を第３の部分３１ｅ、流量計３４と第２の開閉弁３５の間を第４の部分３１ｆ、第２の開閉弁３５と他端３１ｂの間を第５の（処理水側）部分３１ｇとしてある。
【００３３】
また、この実施の形態９の水処理装置では、逆洗に使用する処理水３は、処理水圧送管３８を介して膜分離器５に圧送するようにしてある。そこで、処理水吸引管３６の一端３６ｂは処理水槽４に、他端３６ａは第３の開閉弁３７を介して処理水移送管３１の第２の部分３１ｄに繋がり、更に移送手段３３、処理水移送管３１の第３の部分３１ｅ、流量計３４、処理水移送管３１の第４の部分３１ｆそして第４の開閉弁３９に繋がっている。すなわち、処理水吸引管３６の一端３６ａを処理水移送管３１の第２の部分３１ｄに接続し、処理水吸引管３６の他端３６ｂを処理水槽４内の処理水３に浸漬させてある。また、処理水圧送管３８の一端３８ａを処理水移送管３１の第４の部分３１ｆに接続し、処理水圧送管３８の他端３８ｂを膜分離器５に接続してある。そして、移送手段３３には処理水３を矢印Ｃ、Ｄで示す一方向に移送する実施の形態３と同様な渦巻ポンプを使用し、その他は実施の形態３と同様としてある。
【００３４】
この実施の形態９における水処理装置の通常の処理運転においては、第３の開閉弁３７と第４の開閉弁３９が閉じると共に、第１の開閉弁３２と第２の開閉弁３５が開き、処理水３は矢印Ｃ、Ｄの方向に流れる。すなわち、移送手段３３の作動によって、膜分離器５がろ過処理した処理水３は処理水移送管３１の第１の部分３１ｃ、第１の開閉弁３２、処理水移送管３１の第２の部分３１ｄ、移送手段３３、処理水移送管３１の第３の部分３１ｅ、流量計３４、処理水移送管３１の第４の部分３１ｆ、第２の開閉弁３５、処理水移送管３１の第５の部分３１ｇを介して処理水槽４に流入する。
【００３５】
一方、逆洗運転では第１の開閉弁３２と第２の開閉弁３５が閉じると共に、第３の開閉弁３７と第４の開閉弁３８が開き、処理水３は矢印Ｅ、矢印Ｃ、矢印Ｆの方向に流れる。すなわち、移送手段３３の作動によって、処理水槽４内の処理水３が処理水吸引管３６をその他端３６ｂから矢印Ｅの方向に流れ、第３の開閉弁３７、処理水移送管３１の第２の部分３１ｄ、移送手段３３、処理水移送管３１の第３の部分３１ｅ、流量計３４、処理水移送管３１の第４の部分３１ｆ、第４の開閉弁３９と流れ、更に処理水圧送管３８を矢印Ｆ方向に流れて膜分離器５内に流入する。
【００３６】
以上のように、この実施の形態９における水処理装置では、上述の実施の形態３の三方弁２２、２５の役目を開閉弁３２、３５、３７、３９に持たせてある。したがって、この実施の形態９でも上述の実施の形態３と同様な効果が得られる。
【００３７】
以下の実施の形態１０から実施の形態１４は、基本である実施の形態９を変形・発展させた実施の形態であり、共通部分には、同一符号を付して説明する。
実施の形態１０．
図１０は、この発明の実施の形態１０における水処理装置を示す構成図である。図１０に示すように、この実施の形態１０では実施の形態９における処理水移送管３１の他端３１ｂを処理水３の水面下に位置するように処理水槽４の下部に接続し、処理水吸引管３６の他端３６ｂを処理水移送管３１の第５の部分３１ｇに接続し、処理水槽４に天蓋１４を被せ、その他は実施の形態９と同様としてある。この類似の形態１０でも上述の実施の形態９と同様の作用効果が得られる。なお、処理水槽４は天蓋１４で覆ったが、覆う必要のない場合は解放状態で良い。
【００３８】
実施の形態１１．
図１１は、この発明の実施の形態１１における水処理装置を示す構成図ある。図１１に示すように、この実施の形態１１では実施の形態９における処理水圧送管３８の他端３８ｂを処理水移送管３１の第１の部分３１ｃに接続してある。したがって、この実施の形態１１では、実施の形態９と同様の作用効果が得られる上に、処理水圧送管３８の長さを節約することができる。
【００３９】
実施の形態１２．
図１２は、この発明の実施の形態１２における水処理装置を示す構成図ある。図１２に示すように、この実施の形態１２では実施の形態１０における処理水圧送管３８の他端３８ｂを処理水移送管３１の第１の部分３１ｃに接続してある。したがって、この実施の形態１２では実施の形態１０と同様の作用効果が得られる上に、処理水圧送管３８の長さを節約することができる。なお、処理水槽４は天蓋１４で覆ったが、覆う必要のない場合は解放状態で良い。
【００４０】
実施の形態１３．
図１３は、この発明の実施の形態１３における水処理装置を示す構成図である。図１３に示すように、この実施の形態１３では実施の形態１１の処理水移送管３１の第１の部分３１ｃを分岐管４０によって膜分離器５に接続し、処理水移送管３１の第１の部分３１ｃでは処理水３が一旦合流した後に分流するようにしてある。この実施の形態１３では実施の形態１１と同様の作用効果が得られる。
【００４１】
実施の形態１４．
図１４は、この発明の実施の形態１４における水処理装置を示す構成図である。図１４に示すように、この実施の形態１４では実施の形態１２における処理水移送管３１の第１の部分３１ｃを分岐管４０によって膜分離器５に接続し、処理水移送管３１の第１の部分３１ｃでは処理水３が一旦合流した後に分流するようにしてある。この実施の形態１４では、実施の形態１２と同様の作用効果が得られる。なお、処理水槽４は天蓋１４で覆ったが、覆う必要のない場合は解放状態で良い。
【００４２】
実施の形態１５．
図１５は、この発明の実施の形態１５における水処理装置を示す構成図である。この実施の形態１５の水処理装置は上記実施の形態３における水処理装置と同様に移送手段として自吸式の渦巻ポンプを用い、かつ管路の切り替えを三方弁によって行う上に、予備の移送手段を追加して非常時に対応可能とした点で実施の形態３の水処理装置と大きく異なっている。なお、ここで云う非常時とは、雨水などで流入水が増加した場合や、浄水で配水が増加して処理水が多く必要となった場合などを指している。
【００４３】
図１５に示すように、この実施の形態１５の水処理装置は上述の実施の形態３における水処理装置と同様な構成としてある上に、処理水移送管２１の第２の部分２１ｄと第３の部分２１ｅに第６の部分２１ｈと第７の部分２１ｉをそれぞれ接続し、これらの第６の部分２１ｈと第７の部分２１ｉの間に予備の移送手段４１を移送手段２３と並列に配設してある。そして、移送手段２３と予備の移送手段４１には、吐出量１Ｑを処理するのに１．５Ｑの移送が可能な渦巻ポンプをそれぞれ使用し、それらはインバータ制御が可能としてある。
【００４４】
この実施の形態１５における水処理装置では、移送手段２３や三方弁２２、２５を実施の形態３と同様に制御し、予備の移送手段４１は非常時のみに作動させるようにしてある。したがって、通常の処理運転では予備の移送手段４１は停止し、処理水３は矢印Ｃ、矢印Ｄの方向に流れる。そして、通常の逆洗運転でも予備の移送手段４１が停止しているが、処理水３は矢印Ｅ、矢印Ｃ、矢印Ｆの方向に流れる。
【００４５】
一方、非常時の処理運転や逆洗運転では双方の移送手段２３、４１が作動し、第１の三方弁２２からの処理水３を矢印Ｇの方向の処理水移送管２１の第６の部分２１ｈ、予備の移送手段４１、処理水移送管２１の第７の部分２１ｉにも流す。したがって、移送手段２３、４１は、非常時の処理運転において３Ｑの処理水３を矢印Ｃ、矢印Ｄの方向に流すことができる。例えば、１Ｑが毎分１立方メートルを表現するとすれば、毎分３立方メートルを処理できることになる。また、逆洗運転でも３Ｑ送水の場合、処理水３を矢印Ｅ、矢印Ｃ、矢印Ｇ、矢印Ｆの方向に流し、膜分離器５を洗浄することができる。なお、この３Ｑ送水の逆洗運転は実施の形態１から実施の形態１４の場合の水処理装置にも適用可能である。さらに、三方弁２２、２５を実施の形態９に示すように開閉弁３２、３５、３７、３９に替えることも可能である。
【図面の簡単な説明】
【００４６】
【図１】この発明の実施の形態１における水処理装置を示す構成図である。
【図２】この発明の実施の形態２における水処理装置を示す構成図である。
【図３】この発明の実施の形態３における水処理装置を示す構成図である。
【図４】この発明の実施の形態４における水処理装置を示す構成図である。
【図５】この発明の実施の形態５における水処理装置を示す構成図である。
【図６】この発明の実施の形態６における水処理装置を示す構成図である。
【図７】この発明の実施の形態７における水処理装置を示す構成図である。
【図８】この発明の実施の形態８における水処理装置を示す構成図である。
【図９】この発明の実施の形態９における水処理装置を示す構成図である。
【図１０】この発明の実施の形態１０における水処理装置を示す構成図である。
【図１１】この発明の実施の形態１１における水処理装置を示す構成図である。
【図１２】この発明の実施の形態１２における水処理装置を示す構成図である。
【図１３】この発明の実施の形態１３における水処理装置を示す構成図である。
【図１４】この発明の実施の形態１４における水処理装置を示す構成図である。
【図１５】この発明の実施の形態１５における水処理装置を示す構成図である。
【符号の説明】
【００４７】
１  被処理水
２  膜分離槽
３  処理水
４  処理水槽
５  膜分離器
１１、２１、３１  処理水移送管
１２、２３、３３、４１  移送手段
２２、２５  三方弁
２６、３６  処理水吸引管
２７、３８  処理水圧送管
３２、３５、３７、３９  開閉弁
【図１】
2005342660.tif 000003
【図２】
2005342660.tif 000004
【図３】
2005342660.tif 000005
【図４】
2005342660.tif 000006
【図５】
2005342660.tif 000007
【図６】
2005342660.tif 000008
【図７】
2005342660.tif 000009
【図８】
2005342660.tif 000010
【図９】
2005342660.tif 000011
【図１０】
2005342660.tif 000012
【図１１】
2005342660.tif 000013
【図１２】
2005342660.tif 000014
【図１３】
2005342660.tif 000015
【図１４】
2005342660.tif 000016
【図１５】
2005342660.tif 000017